(57)【要約】【課題】パネルユニットのがたつきをなくしながらも、パネルユニットが衝撃を受けても破損しにくい表示装置を提供する。【解決手段】表示装置１は、天井などに取り付けられる保持部２と、矩形板状に形成されており、上端部が保持部２に対して移動しないように固定されたパネルユニット３とを備えている。パネルユニット３は、光源としてのＥＬパネル３０を含んでおり、少なくとも一表面を表示面３１としている。パネルユニット３は、ＥＬパネル３０がその厚み方向に可撓性を有しており、何らかの物体が接触（衝突）して衝撃が加わった場合に、その衝撃を逃がすことができるようにフレキシブルに構成されている。そのため、パネルユニット３は、通常時には表示面３１を平坦な状態に維持しており、衝撃を受けた際には、ＥＬパネル３０の厚み方向に撓むように弾性変形することにより衝撃を逃がすことができる。【選択図】図１
2013145645.tif 000002
【特許請求の範囲】
【請求項１】
造営面に取り付けられる保持部と、光源としてのＥＬパネルを含み少なくとも一表面を表示面とするパネルユニットとを備え、前記パネルユニットは、前記ＥＬパネルの厚み方向に可撓性を有し、一端部が前記保持部に固定されていることを特徴とする表示装置。
【請求項２】
前記パネルユニットは、前記ＥＬパネルの周部に取り付けられ弾性を有する補強部材をさらに備えることを特徴とする請求項１に記載の表示装置。
【請求項３】
前記補強部材は、前記ＥＬパネルに比べて弾性率の高い材料からなることを特徴とする請求項２に記載の表示装置。
【請求項４】
前記ＥＬパネルは、矩形板状であって前記保持部に対して一辺で固定されており、
前記補強部材は、前記ＥＬパネルにおける前記保持部に固定された一辺に隣接する一対の各辺に設けられていることを特徴とする請求項２または３に記載の表示装置。
【発明の詳細な説明】
【技術分野】
【０００１】
本発明は、非常時に建造物等の避難口の場所を示したり避難の方向を示したりする誘導灯のように、天井や壁などに取り付けられる表示パネルを有した表示装置に関する。
【背景技術】
【０００２】
一般的な誘導灯（誘導灯装置）は、表面に避難方向等を示すシンボルが印刷等されている表示パネル（表示板）を備え、表示パネルに背後から光が照射することでシンボルを表示する（たとえば特許文献１参照）。特許文献１に記載の誘導灯は、表示パネルに光を照射する光源として冷陰極蛍光ランプを用いており、表示パネルの背後に導光板を重ねて有し、導光板の一端部側から光源の出射光を入射させてシンボルを照明するように構成されている。
【０００３】
ところで、一般的な誘導灯は、表示パネルに導光板を重ねてなるパネルユニット（表示ユニット）が、建造物の天井や壁に取り付けて使用されている。たとえば、パネルユニットは、光源を内蔵し天井に埋込配設された保持部（器具本体）の下面に垂下されるようにして、その一端部（上端部）が保持部に保持される形で天井に取り付けられる（たとえば特許文献２参照）。
【０００４】
このように硬質なパネルユニットの一端部が保持部に保持される構成では、パネルユニットが受けた衝撃を逃がせるように、保持部はパネルユニットを完全に固定するのでなく、ある程度のクリアランスをもってパネルユニットを保持する構造が多く採用されている。つまり、パネルユニットに何らかの物体が接触して衝撃が加わった場合に、誘導灯は、定位置に固定されている保持部とのクリアランスによってパネルユニットが動いて衝撃を逃がすことができ、パネルユニット並びに保持部の破損を防止できる。
【先行技術文献】
【特許文献】
【０００５】
【特許文献１】特開２００７−１９３９８１号公報
【特許文献２】特開２００７−３０４６５８号公報
【発明の概要】
【発明が解決しようとする課題】
【０００６】
しかし、上述したように保持部がクリアランスをもってパネルユニットを保持する構造の表示装置では、たとえば風や振動などによってパネルユニットが保持部に対してがたつくことがあり、このときに発生するがたつき音などが問題となる場合がある。
【０００７】
本発明は上記事由に鑑みて為されており、パネルユニットのがたつきをなくしながらも、パネルユニットが衝撃を受けても破損しにくい表示装置を提供することを目的とする。
【課題を解決するための手段】
【０００８】
本発明の表示装置は、造営面に取り付けられる保持部と、光源としてのＥＬパネルを含み少なくとも一表面を表示面とするパネルユニットとを備え、前記パネルユニットは、前記ＥＬパネルの厚み方向に可撓性を有し、一端部が前記保持部に固定されていることを特徴とする。
【０００９】
この表示装置において、前記パネルユニットは、前記ＥＬパネルの周部に取り付けられ弾性を有する補強部材をさらに備えることが望ましい。
【００１０】
この表示装置において、前記補強部材は、前記ＥＬパネルに比べて弾性率の高い材料からなることがより望ましい。
【００１１】
この表示装置において、前記ＥＬパネルは、矩形板状であって前記保持部に対して一辺で固定されており、前記補強部材は、前記ＥＬパネルにおける前記保持部に固定された一辺に隣接する一対の各辺に設けられていることがより望ましい。
【発明の効果】
【００１２】
本発明は、パネルユニットが、ＥＬパネルの厚み方向に可撓性を有し、一端部が前記保持部に固定されているので、パネルユニットのがたつきをなくしながらも、パネルユニットが衝撃を受けても破損しにくいという利点がある。
【図面の簡単な説明】
【００１３】
【図１】実施形態１に係る表示装置の構成を示す斜視図である。
【図２】実施形態１に係る表示装置の他の構成を示す斜視図である。
【図３】実施形態２に係る表示装置の構成を示し、（ａ）は斜視図、（ｂ）は要部の断面図である。
【図４】実施形態２に係る表示装置の他の構成を示す斜視図である。
【発明を実施するための形態】
【００１４】
以下の各実施形態では、誘導灯として建造物の避難口の場所を示すように避難口付近に設置される誘導灯を表示装置の例として示すが、この例に限らず、表示装置は、たとえば避難の方向を矢印で示す誘導灯や、誘導灯以外の装置であってもよい。
【００１５】
（実施形態１）
本実施形態の表示装置１は、図１に示すように、建造物の造営面（天井や壁など）に取り付けられる保持部２と、板状であって保持部２に保持されるパネルユニット３とを備えている。パネルユニット３は、光源としてのＥＬ（ElectroLuminescence）パネル３０を含んでおり、少なくとも一表面を表示面３１としてＥＬパネル３０の点灯時にこの表示面３１を発光させる。以下では、表示装置１が建造物の天井に取り付けられる場合を例として、取付状態での表示装置１の上下を上下として説明するが、表示装置１の取付場所を天井に限定する趣旨ではない。
【００１６】
本実施形態では、パネルユニット３はＥＬパネル３０そのものであり、ＥＬパネル３０の一表面（前面）を表示面３１としている。つまり、パネルユニット３は、ＥＬパネル３０の点灯時には、表示面３１から光が出射されて表示面３１が発光することになる。なお、ＥＬパネル３０は有機ＥＬと無機ＥＬとのいずれでもよい。
【００１７】
保持部２は、直方体状の筐体２０内に、パネルユニット（ＥＬパネル）３を点灯させる点灯装置（図示せず）と、二次電池（図示せず）とを具備している。保持部２は、筐体２のうち横方向に長い長方形状の上面を天井に当接させた状態で、取付ねじ（図示せず）によって天井に取り付けられる。パネルユニット３は、保持部２の筐体２０の下面から垂下する形で保持部２によって保持される。
【００１８】
点灯装置は、常用電源としての商用電力系統に接続されており、二次電池は商用電力系統の通電時（以下、「平常時」という）に商用電力系統からの電力供給を受けて充電される。点灯装置は、平常時には商用電力系統からの電力供給によりＥＬパネル３０を点灯させ、商用電力系統の停電時（以下、「非常時」という）には非常用電源としての二次電池からの電力供給によりＥＬパネル３０を点灯させる。これにより、表示装置１は平常時だけでなく、商用電力系統が停電した非常時であっても、表示面３１を発光させることが可能である。なお、表示装置１が使用される建造物に、商用電力系統の停電時に表示装置１に電力供給する非常電源が備わっている場合、保持部２の二次電池は省略され、点灯装置は非常時に非常電源からの電力供給を受けてＥＬパネル３０を点灯させる構成であってもよい。
【００１９】
以下、パネルユニット３について、さらに詳しく説明する。
【００２０】
パネルユニット３は、矩形板状に形成されており、その上端部が保持部２に対して移動しないように固定されている。つまり、パネルユニット３は、その一端部（上端部）が保持部２に完全に固定されている。
【００２１】
ここで、パネルユニット３は、発光層（図示せず）を一対の電極層（図示せず）で挟んでなる一般的なＥＬパネルの基本構造を有している。一対の電極層のうち、少なくとも表示面３１側の電極層はＩＴＯ（Indium Tin Oxide）などの透明電極からなる。これにより、パネルユニット３は、点灯装置から一対の電極層に電圧が印加されたときに発光層が発光する。ＥＬパネルの基本構造については周知であるため、ここでは詳しい説明は省略する。なお、パネルユニット３のＥＬパネル３０は、両電極層が透明電極からなることで発光層の光を前面と背面との両面から取り出すことができる両面発光形のＥＬパネル３０であってもよい。
【００２２】
さらに、パネルユニット３は、透明材料からなる保護膜（図示せず）を、各電極層における発光層とは反対側から各電極層と重なるように有している。つまり、発光層を一対の電極層で挟んでなるＥＬパネルの基本構造が一対の保護膜で挟まれてパネルユニット３を構成している。ここで、パネルユニット３は、前面側の保護膜の表面を表示面３１としており、表示面３１に避難口の場所を示す図柄（シンボル）が緑色で描かれている。これにより、パネルユニット３は、発光層が白色で発光したときに、発光層からの光が電極層を通して表示面３１から出射され、表示面３１のうち図柄部分が緑色、その他の透明部分が白色に発光し、表示面３１の図柄が表示される。なお、ＥＬパネル３０が両面発光形であれば、前面側の保護膜だけでなく背面側の保護膜の表面も表示面となるので、発光層からの光がパネルユニット３の両面から出射される。
【００２３】
ところで、パネルユニット３は、ＥＬパネル（発光層、電極層、保護膜）３０がその厚み方向に可撓性を有しており、何らかの物体が接触（衝突）して衝撃が加わった場合に、その衝撃を逃がすことができるようにフレキシブルに構成されている。具体的には、パネルユニット３は、電極層および保護膜がプラスチックフィルムなどの弾性を持った材料を用いて形成されることにより、外力が加わった際にＥＬパネル３０の厚み方向に撓むような弾性変形が可能である。そのため、パネルユニット３は、通常時には表示面３１を平坦な状態に維持しており、衝撃を受けた際には、ＥＬパネル３０の厚み方向に撓むように変形することにより衝撃を逃がし、その後、自身の弾性によって平坦な状態に復帰する。なお、図１では厚み方向に撓んだ状態のパネルユニット３を二点鎖線で表している。
【００２４】
このように、表示装置１はパネルユニット３自身が可撓性を有していることにより、パネルユニット３の一端部が保持部２に完全に固定されていながらも、パネルユニット３に受けた衝撃を逃がすことができ、パネルユニット３並びに保持部２の破損を回避できる。すなわち、表示装置１が天井に取り付けられている状態で、たとえばパネルユニット３の下端部に人の手がぶつかることがあっても、パネルユニット３が撓むことによって衝撃は干渉され、パネルユニット３の上端部までは伝達しなくなる。
【００２５】
以上説明した本実施形態の表示装置１によれば、パネルユニット３がＥＬパネル３０の厚み方向に可撓性を有し、パネルユニット３の一端部が保持部２に固定されているので、パネルユニット３に受けた衝撃をパネルユニット３の変形により逃がすことができる。すなわち、表示装置１は、パネルユニット３に何らかの物体が接触して衝撃が加わった場合、パネルユニット３がＥＬパネル３０の厚み方向に撓むように弾性変形して衝撃を逃がすことができ、パネルユニット３並びに保持部２の破損を防止できる。
【００２６】
さらに、この表示装置１は、パネルユニット３の一端部（上端部）が保持部２に対して完全に固定されているので、パネルユニット３が保持部２に対して相対的に動くことはない。したがって、上記構成によれば、たとえば風や造営面の振動などによりパネルユニット３が保持部２に対してがたつくことで発生するがたつき音が生じることなく、信頼性の高い高品質の表示装置１を提供することができる。
【００２７】
また、一般的に、表示装置１の美的外観（意匠）を向上するためには、パネルユニット３の厚み方向の寸法を小さくすることが望ましいが、パネルユニット３においては、その厚み方向の寸法が小さくなると厚み方向の強度が低下することになる。本実施形態の表示装置１は、パネルユニット３をその厚み方向に変形可能な構成としているので、パネルユニット３の厚み方向の寸法を小さくして意匠を向上させながらも、より効果的に表示面３１を衝撃から保護することができる。
【００２８】
なお、本実施形態では、表示面３１に図柄の緑色部分のみが描かれているが、この構成に限らず、たとえば図柄の白色部分と緑色部分との両方が描かれていてもよい。また、表示装置１は、ＥＬパネル３０の発光領域を緑色に光る領域と白色に光る領域とに分け、点灯装置にて各発光領域を点灯させることにより、表示面３１に緑色部分と白色部分とからなる図柄が表示されるように構成されていてもよい。この場合、表示面３１に図柄が描かれている必要はなく、ＥＬパネル３０の点灯時にのみ図柄を表示させることができる。
【００２９】
ところで、表示装置１は、保持部２が上面を天井に当接させた状態で天井に取り付けられる直付け形に限らず、図２に示すように保持部２が天井内に埋め込まれる埋込形であってもよい。つまり、図２の表示装置１は、天井を構成する天井パネル４上（天井裏）に保持部２が設置され、保持部２の下面から垂下したパネルユニット３が、天井パネル４を貫通して室内側（天井パネル４の下方）に露出するように取り付けられる。図２の構成では、天井パネル４から室内側への表示装置１の突出量を小さく抑えることができ、また、保持部２が室内からでは視認できない位置に設置されるので、表示装置１の見映えがよくなる。
【００３０】
（実施形態２）
本実施形態の表示装置１は、図３に示すようにパネルユニット３がＥＬパネル３０の周部に取り付けられる補強部材３２を備えている点が実施形態１の表示装置１と相違する。以下では、実施形態１と同様の構成には共通の符号を付して適宜説明を省略する。
【００３１】
補強部材３２は、ウレタン樹脂等の弾性を有する材料からなり、図３（ａ）に示すように、矩形板状のＥＬパネル３０のうち保持部２に固定された一端部（上端部）を除く外周縁の略全周に亘って設けられている。ここでは、補強部材３２は、図３（ｂ）に示すように長手方向に沿って溝３２０が形成されることにより断面Ｃ字状に形成されており、溝３２０内にＥＬパネル３０の周部が嵌るような形でＥＬパネル３０の周部に取り付けられている。これにより、ＥＬパネル３０の周部は、前面から背面にかけて補強部材３２によって覆われることになる。
【００３２】
上記構成によれば、表示装置１は、補強部材３２でパネルユニット３全体としての弾性並びに強度を調整することができ、ＥＬパネル３０自身が十分な弾性、強度を有していない場合でも、パネルユニット３全体としては所望の弾性、強度を実現できる。つまり、表示装置１は、それ単独では弾性および強度が不十分なＥＬパネル３０を用いながらも、補強部材３２でＥＬパネル３０が補強されるので、パネルユニット３全体としては所望の弾性および強度を確保可能となる。言い換えれば、表示装置１は、ＥＬパネル３０の弾性および強度にかかわらず、補強部材３２の材質や太さ等の設定によりパネルユニット３全体として所望の弾性および強度を確保できるので、ＥＬパネル３０の選択の自由度が高くなる。
【００３３】
ここにおいて、本実施形態では、補強部材３２はＥＬパネル３０に比べて弾性率の高い材料にて形成されている。ここでいう弾性率は可撓性に関係しており、弾性率が高いほど撓みにくいことを意味する。要するに、補強部材３２はＥＬパネル３０に比べて撓みにくい材料からなり、パネルユニット３に衝撃が加わった際におけるパネルユニット３の変形量（撓み量）は補強部材３２にて規定される。そのため、表示装置１は、衝撃が加わった際のパネルユニット３全体としての変形量を補強部材３２にて制限することができ、ＥＬパネル３０が過度に変形する（撓む）ことによりＥＬパネル３０が破損することを回避できるという利点がある。
【００３４】
さらに図３の例では、補強部材３２は、ＥＬパネル３０の周部のうち保持部２に固定された一端部を除く外周縁の略全周に亘って設けられているので、ＥＬパネル３０の周部に対する衝撃からＥＬパネル３０自身を保護する機能もある。なお、補強部材３２は、その全体に亘って弾性および強度が一定であることは必須ではなく、部位ごとに弾性および強度の少なくとも一方が個別に設定されていてもよい。
【００３５】
また、本実施形態の他の例として、図４に示すように、補強部材３２は、ＥＬパネル３０における保持部２に固定された一辺に隣接する一対の各辺にのみ設けられていてもよい。すなわち、表示装置１が天井に取り付けられている状態では、ＥＬパネル３０の下辺の補強部材が省略され、ＥＬパネル３０の上辺に隣接する一対の各側辺にのみ補強部材３２が設けられる。
【００３６】
図４の構成によれば、パネルユニット３は、ＥＬパネル３０の下辺が曲がるような変形に対しては補強部材３２が殆ど作用せず、ＥＬパネル３０の側辺が曲がるような変形に対しては補強部材３２がＥＬパネル３０を補強するよう作用する。そのため、パネルユニット３に対して表示面３０の横方向の略全域に亘って衝撃が加わるような場合、図４のようにＥＬパネル３０の各側辺にのみ補強部材３２を設けた構成であっても、パネルユニット３を衝撃から有効に保護できる。このように、表示部材１は、パネルユニット３において衝撃が加わることが想定される範囲に応じて補強部材３２を適所に備えることによって、補強部材３２の必要量を最低限に抑えながらもパネルユニット３を衝撃から有効に保護できる。
【００３７】
ところで、パネルユニット３が補強部材３２を備える場合、保持部２はＥＬパネル３０を直接保持するのではなく、補強部材３２を介してＥＬパネル３０を保持する構成であってもよい。すなわち、表示装置１は、補強部材３２にてＥＬパネル３０が保持され、補強部材３２の一端部（上端部）が保持部２に固定されることにより、パネルユニット３の一端部が保持部２に固定される構成であってもよい。この場合、ＥＬパネル３０が保持部２に直接固定されていないので、パネルユニット３に衝撃が加わってＥＬパネル３０が撓んだ際にＥＬパネル３０における保持部２との連結部分に応力が集中することはない。
【００３８】
その他の構成および機能は実施形態１と同様である。
【符号の説明】
【００３９】
１  表示装置
２  保持部
３  パネルユニット
３０  ＥＬパネル
３１  表示面
３２  補強部材
【図１】
2013145645.tif 000003
【図２】
2013145645.tif 000004
【図３】
2013145645.tif 000005
【図４】
2013145645.tif 000006